(57)【要約】【課題】  １枚手差し給紙トレイによって給紙するときに装置内に用紙が残存した状態で給紙されるとジャムが発生する。【解決手段】  １枚手差し給紙トレイ１４１からの搬送路１６０を開閉するシャッタ部材１４４を設け、１枚手差し給紙トレイ１４１上に用紙５がセットされることで、１枚手差し紙有無センサ２０７の検知出力がＯＮになると、動作中ジョブ（ＪＯＢ）が有るか否かを判別し、動作中ジョブ（ＪＯＢ）が有れば装置内に用紙５が残存していることになるので、動作中ＪＯＢに割り込みをかけて、装置内の印字中の用紙５を排出する動作を行なった後に、シャッタ部材１４１を開状態にして１枚手差し給紙トレイ１４１からの搬送路１６０を開き、１枚手差し給紙を開始する。【選択図】  図１２
2006168887.tif 000002
【特許請求の範囲】
【請求項１】
１枚の被記録媒体を手差し給紙するための1枚手差し給紙部を備えた画像形成装置において、装置本体内に被記録媒体が残っている状態のときには当該被記録媒体の排紙が完了するまで前記１枚手差し給紙部からの給紙を開始させない手段を備えていることを特徴とする画像形成装置。
【請求項２】
請求項１に記載の画像形成装置において、前記１枚手差し給紙部から給紙された被記録媒体を直線的に搬送して排紙するためストレート排紙トレイを備え、このストレート排紙トレイに排紙された被記録媒体が残っているときには前記１枚手差し給紙部からの給紙を開始させない手段を備えていることを特徴とする画像形成装置。
【請求項３】
請求項２に記載の画像形成装置において、前記ストレート排紙トレイへの排紙と画像が形成された被記録媒体を反転排紙する排紙トレイへの排紙とを切り替える分岐部に前記被記録媒体を検知する分岐検知手段を設け、この分岐検知手段は前記ストレート排紙トレイに排紙された被記録媒体が残存しているか否かを検知する手段を兼ねていることを特徴とする画像形成装置。
【請求項４】
請求項１ないし３のいずれかに記載の画像形成装置において、前記１枚手差し給紙部からの搬送路を開閉するシャッタ部材を備え、前記１枚手差し給紙部からの給紙を開始させないときには前記シャッタ部材が前記搬送路を閉じていることを特徴とする画像形成装置。
【請求項５】
１枚の被記録媒体を手差し給紙するための1枚手差し給紙部を備えた画像形成装置において、前記1枚手差し給紙部から給紙された被記録媒体を直線的に排紙するストレート排紙トレイを開閉可能に備え、前記１枚手差し給紙部から給紙を行なうときには、前記ストレート排紙トレイを排紙可能位置に開く操作を促す旨を出力する手段を備えていることを特徴とする画像形成装置。
【請求項６】
請求項５に記載の画像形成装置において、前記１枚手差し給紙部からの搬送路を開閉するシャッタ部材を設け、前記ストレート排紙トレイが排紙可能位置に開かれたときに前記シャッタ部材が前記搬送路を開くことを特徴とする画像形成装置。
【請求項７】
１枚の被記録媒体を手差し給紙するための1枚手差し給紙部を備え、この１枚手差し給紙部から前記被記録媒体を給紙し、画像形成後の被記録媒体を前記1枚手差し給紙部に排紙する画像形成装置であって、前記1枚手差し給紙部から被記録媒体の給紙を開始するときの送り速度及び前記1枚手差し給紙部に被記録媒体を排紙するときの送り速度が、被記録媒体に画像を形成するときの送り速度に対して低速であることを特徴とする画像形成装置。
【請求項８】
１枚の被記録媒体を手差し給紙するための1枚手差し給紙部を備えた画像形成装置において、前記１枚手差し給紙部から給紙された被記録媒体を直線的に排紙するストレート排紙トレイを開閉可能に備え、前記１枚手差し給紙部から給紙して画像を形成するとき、前記ストレート排紙トレイが排紙可能位置にあるときには前記ストレート排紙トレイに被記録媒体を排紙し、前記ストレート排紙トレイが排紙不可能位置にあるときには前記１枚手差し給紙部に被記録媒体を排紙することを特徴とする画像形成装置。
【発明の詳細な説明】
【技術分野】
【０００１】
本発明は画像形成装置に関する。
【背景技術】
【０００２】
プリンタ、ファクシミリ装置、複写装置、プリンタ／ファックス／コピア複合機等の画像形成装置として、例えば、記録液の液滴を吐出する液体吐出ヘッドで構成した記録ヘッド（画像形成手段）を用いて、被記録媒体（用紙、記録媒体、転写材なども同義で使用する。）を搬送しながら、記録液の液滴（以下、インク滴ともいう。）を用紙に付着させて画像形成（記録、印刷、印写、印字も同義語で用いる。）を行なうインクジェット記録装置、電子写真方式で画像を形成する画像形成装置などが知られている。
【０００３】
ところで、従来の画像形成装置においては、画像を形成する被記録媒体を装置本体内に給紙するために、多数枚の被記録媒体を載置することができる給紙トレイ、大量の被記録媒体を収容することができる給紙トレイ、ユーザーが直接手差しで被記録媒体を給紙するための手差し給紙トレイ（部）などの複数の給紙手段を備えている。
【特許文献１】特開平１０−１７１７９号公報
【０００４】
ここで、特許文献２に記載されているように、手差し給紙口から給紙された被記録媒体を印刷部に給紙し、印刷後に再び手差し給紙口まで搬送して排紙するようにした画像形成装置、特許文献３、４に記載されているように、排紙トレイから被記録媒体を給紙でき、休止された被記録媒体に画像形成後、再び排紙トレイに被記録媒体を排紙することで手差し給紙部を省略した記録装置がある。
【特許文献２】実用新案登録第３０６０３６１号公報
【特許文献３】特許第２６９８６９９号公報
【特許文献４】特開２０００−２１１７６８号公報
【０００５】
また、特許文献５に記載されているように、スイッチバック方式で片面に印写が終了した被記録媒体を反転給紙して他面に印写後排紙トレイに排紙するようにした画像形成装置、特許文献６に記載されているように、読み取り手段の下方に給紙カセットを配置して小型化を図った画像形成装置なども知られている。
【特許文献５】特許第２７０２５３３号公報
【特許文献６】特開平８−１１０６６０号公報
【発明の開示】
【発明が解決しようとする課題】
【０００６】
ところで、例えばインクジェット記録装置のような画像形成装置においては、用紙を直線的に給紙し、用紙に画像を形成した後は直線的に搬送して印写面を上にしたままフェイスアップで排紙するストレート排紙、用紙に画像を形成した後用紙を反転させて印写面を下にしてフェイスダウンで排紙するフェイスダウン排紙などが採用される。この場合、ストレート排紙を行う画像形成装置にあっては、排紙された用紙を含めた装置全体の占有スペースが大きくなる。一方、反転排紙を行う画像形成装置にあっては、ＯＨＰなどのインクが乾き難い用紙に印刷する場合には、反転時に印刷面がガイド部材に擦れて画像が劣化することがあり、また、厚紙の用紙を使用する場合に反転できず、ジャムになることがある。
【０００７】
そこで、通常の給紙トレイや手差し給紙部とは別に、被記録媒体を直線的に手差しで給紙するための1枚手差し給紙部を設けることが好ましく、また、直線的に搬送排紙するためのストレート排紙トレイ部を設けることが好ましいが、この場合、上述した占有スペースの増加を防ぐために、１枚手差し給紙部やストレート排紙トレイは装置本体に対して開閉可能に設けることが考えられる。
【０００８】
このように、１枚の被記録媒体を手差しで給紙するための1枚手差し給紙部を設けた場合、上述した特許文献２に記載の画像形成装置のように手差し給紙口を給紙口と排紙口と兼用する構成、あるいは、特許文献３、４に記載の画像形成装置のように排紙トレイを手差しトレイと兼用する構成と同様にしたとき、装置内に用紙が残っている状態で手差し給紙口から給紙されるとジャムが発生することになる。
【０００９】
また、ストレート排紙トレイを設けた場合でも、ストレート排紙トレイが排紙不可能な状態にされたままであると、１枚手差し給紙を行なった場合にストレート排紙を行なうことができなくなってジャムが生じることになり、或いは、このときは給紙しないようにすると、給紙されない原因がユーザーに分からずに故障であると勘違いするおそれがあるなどユーザーインタフェースが低下することがある。
【００１０】
本発明は上記の課題に鑑みてなされたものであり、１枚手差し給紙をジャムなどが発生することなく安定して行なうことができる画像形成装置を提供することを目的とする。
【課題を解決するための手段】
【００１１】
上記の課題を解決するため、本発明に係る画像形成装置は、装置本体内に被記録媒体が残っている状態のときには当該被記録媒体の排紙が完了するまで１枚手差し給紙部からの給紙を開始させない手段を備えている構成とした。
【００１２】
ここで、１枚手差し給紙部から給紙された被記録媒体を直線的に搬送して排紙するためストレート排紙トレイを備え、このストレート排紙トレイに排紙された被記録媒体が残っているときには１枚手差し給紙部からの給紙を開始させない手段を備えていることが好ましい。
【００１３】
この場合、ストレート排紙トレイへの排紙と画像が形成された被記録媒体を反転排紙する排紙トレイへの排紙とを切り替える分岐部に被記録媒体を検知する分岐検知手段を設け、この分岐検知手段は前記ストレート排紙トレイに排紙された被記録媒体が残存しているか否かを検知する手段を兼ねていることが好ましい。
【００１４】
また、１枚手差し給紙部からの搬送路を開閉するシャッタ部材を備え、１枚手差し給紙部からの給紙を開始させないときにはシャッタ部材が前記搬送路を閉じていることが好ましい。
【００１５】
本発明に係る画像形成装置は、１枚手差し給紙部から給紙された被記録媒体を直線的に排紙するストレート排紙トレイを開閉可能に備え、１枚手差し給紙部から給紙を行なうときには、ストレート排紙トレイを排紙可能位置に開く操作を促す旨を出力する手段を備えていることが好ましい。
【００１６】
ここで、１枚手差し給紙部からの搬送路を開閉するシャッタ部材を設け、ストレート排紙トレイが排紙可能位置に開かれたときにシャッタ部材が搬送路を開くことが好ましい。
【００１７】
本発明に係る画像形成装置は、１枚手差し給紙部から被記録媒体を給紙し、画像形成後の被記録媒体を1枚手差し給紙部に排紙するとき、１枚手差し給紙部から被記録媒体の給紙を開始するときの送り速度及び1枚手差し給紙部に被記録媒体を排紙するときの送り速度が、被記録媒体に画像を形成するときの送り速度に対して低速である構成としたものである。
【００１８】
本発明に係る画像形成装置は、１枚手差し給紙部から給紙された被記録媒体を直線的に排紙するストレート排紙トレイを開閉可能に備え、１枚手差し給紙部から給紙して画像を形成するとき、ストレート排紙トレイが排紙可能位置にあるときにはストレート排紙トレイに被記録媒体を排紙し、ストレート排紙トレイが排紙不可能位置にあるときには１枚手差し給紙部に被記録媒体を排紙する構成としたものである。
【発明の効果】
【００１９】
本発明に係る画像形成装置によれば、装置本体内に被記録媒体が残っている状態のときには当該被記録媒体の排紙が完了するまで１枚手差し給紙部からの給紙を開始させない手段を備えているので、装置本体内に被記録媒体が残っている状態で１枚手差し給紙が行なわれることがなくなってジャムなどが発生せず、安定した1枚手差し給紙を行なうことができる。
【００２０】
本発明に係る画像形成装置によれば、１枚手差し給紙部から給紙された被記録媒体を直線的に排紙するストレート排紙トレイを開閉可能に備え、１枚手差し給紙部から給紙を行なうときには、ストレート排紙トレイを排紙可能位置に開く操作を促す旨を出力する手段を備えているので、ストレート排紙トレイへの排紙ができない状態で１枚手差し給紙が行なわれることがなくなってジャムなどが発生せず、安定した1枚手差し給紙を行なうことができる。
【００２１】
本発明に係る画像形成装置によれば、１枚手差し給紙部から被記録媒体を給紙し、画像形成後の被記録媒体を1枚手差し給紙部に排紙するとき、１枚手差し給紙部から被記録媒体の給紙を開始するときの送り速度及び1枚手差し給紙部に被記録媒体を排紙するときの送り速度が、被記録媒体に画像を形成するときの送り速度に対して低速である構成としたので、排紙時に手差し給紙部から被記録媒体が飛び出すことを防止できる。
【００２２】
本発明に係る画像形成装置によれば、１枚手差し給紙部から給紙された被記録媒体を直線的に排紙するストレート排紙トレイを開閉可能に備え、１枚手差し給紙部から給紙して画像を形成するとき、ストレート排紙トレイが排紙可能位置にあるときにはストレート排紙トレイに被記録媒体を排紙し、ストレート排紙トレイが排紙不可能位置にあるときには１枚手差し給紙部に被記録媒体を排紙する構成としたので、ストレート排紙トレイに排紙できない状態で１枚手差し給紙が行なわれることがなくなってジャムなどが発生せず、安定した１枚手差し給紙を行なうことができるとともに、迅速に１枚手差し給紙を行なうことができる。
【発明を実施するための最良の形態】
【００２３】
以下、本発明の実施の形態について添付図面を参照して説明する。本発明に係る画像形成装置の一例の概要について図１ないし図４を参照して説明する。なお、図１は同画像形成装置の全体構成を示す概略構成図、図２は同装置の画像形成部及び副走査搬送部の平面説明図、図３は同じく側面説明図、図４は同じく手差し給紙に関係する用紙搬送経路の説明図である。
【００２４】
この画像形成装置は、装置本体１の内部（筺体内）に、用紙を搬送しながら画像を形成するための画像形成部（手段）２及び用紙を搬送するための副走査搬送部（手段）３等を有し、装置本体１の底部に設けた給紙カセットを含む給紙部（手段）４から用紙５を１枚ずつ給紙して、副走査搬送部３によって用紙５を画像形成部２に対向する位置で搬送しながら、画像形成部２によって用紙５に液滴を吐出して所要の画像を形成（記録）した後、片面印刷の場合には排紙搬送部（手段）７を通じて装置本体１の上面に形成した排紙トレイ８上に用紙５を排紙し、両面印刷の場合には、排紙搬送部７の途中から装置本体１の底部に備えた両面ユニット１０に送り込み、スイッチバック搬送を行って、再度、副走査搬送部３に給紙して両面に画像を形成した後排紙トレイ８上に排紙する。
【００２５】
また、この画像形成装置は、画像形成部２で形成する画像データ（印刷データ）の入力系として、装置本体１の上部で排紙トレイ８の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。
【００２６】
さらに、この画像形成装置は、画像形成部２で形成する画像データ（印刷データ）の入力系として、外部のパーソナルコンピュータ等の情報処理装置、イメージスキャナなどの画像読取り装置、デジタルカメラなどの撮像装置などのホスト側からの画像データを含む印刷データ等をケーブル或いはネットワークを介して受信可能であり、受信した印刷データを処理して印刷することができる。
【００２７】
ここで、この画像形成装置の画像形成部２は、図２にも示すように、ガイドロッド２１及び図示しないガイドステーでキャリッジ２３を主走査方向に移動可能に保持し、主走査モータ２７で駆動プーリ２８Ａと従動プーリ２８Ｂ間に架け渡したタイミングベルト２９を介して主走査方向に移動走査する。
【００２８】
そして、このキャリッジ２３上に、それぞれの色の液滴を吐出する液滴吐出ヘッドからなる記録ヘッド２４を搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。なお、ライン型ヘッドを用いることもできる。
【００２９】
記録ヘッド２４は、それぞれブラック（Ｂｋ）インクを吐出する２個の液滴吐出ヘッド２４ｋ１、２４ｋ２と、シアン（Ｃ）インク、マゼンタ（Ｍ）インク、イエロー（Ｙ）インクを吐出するそれぞれ１個の液滴吐出ヘッド２４ｃ、２４ｍ、２４ｙの計５個の液滴吐出ヘッド（以下、色を区別しないときは「記録ヘッド２４」という。）で構成され、キャリッジ２３に搭載した各サブタンク２５からそれぞれ各色のインクが供給される。
【００３０】
一方、図１に示すように、装置本体１の前面からカートリッジ装着部に、ブラック（Ｂｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５にインクを供給する。なお、ブラックインクは１つのインクカートリッジ２６から２つのサブタンク２５に供給する構成としている。
【００３１】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００３２】
また、キャリッジ２３の走査方向一方側の非印字領域には、図２に示すように、記録ヘッド２４のノズルの状態を維持し、回復するための維持回復装置１２１を配置している。この維持回復装置１２１は、５個の記録ヘッド２４の各ヘッドのノズル面をキャピングするための５個の保湿用キャップ１２２ｋ２、１２２ｋ１、１２２ｃ、１２２ｍ、１２２ｙ（色を区別しないときは「保湿用キャップ１２２」という。）と、１個の吸引用キャップ１２３と、記録ヘッド２４のノズル面をワイピングするためのワイパーブレード１２４と、記録（画像形成）に寄与しない液滴の吐出（空吐出）を行うための空吐出受け部材１２５などを備えている。
【００３３】
さらに、キャリッジ２３の走査方向他方側の非印字領域には、図２に示すように、５個の記録ヘッド２４から記録（画像形成）に寄与しない液滴の吐出（空吐出）を行うための空吐出受け部材１２６を備えている。この空吐出受け部材１２６には、記録ヘッド２４に対応して５個の開口１２７ｋ２、１２７ｋ１、１２７ｃ、１２７ｍ、１２７ｙ（色を区別しないときは「開口１２７」という。）を形成している。
【００３４】
副走査搬送部３は、図３にも示すように、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために高圧電源から交番電圧である高電圧が印加される帯電手段である帯電ローラ３４と、搬送ベルト３１を画像形成部２の対向する領域でガイドするガイド部材３５と、用紙５を搬送ローラ３２に対向する位置で搬送ベルト３１に押し付ける２個の押さえコロ（加圧コロ）３６と、画像形成部２によって画像が形成された用紙５の上面側を押える２個の拍車ローラ３７と、画像が形成された用紙５を搬送ベルト３１から分離するための分離爪３８とを備えている。
【００３５】
この副走査搬送部３の搬送ベルト３１は、副走査モータ１３１からタイミングベルト１３２及びタイミングローラ１３３を介して搬送ローラ３２が回転されることで、図２の用紙搬送方向（副走査方向）に周回するように構成している。なお、搬送ベルト３１は、例えば、抵抗制御を行っていない純粋な樹脂材、例えばＥＴＦＥピュア材で形成した用紙吸着面となる表層と、この表層と同材質でカーボンによる抵抗制御を行った裏層（中抵抗層、アース層）との２層構造としているが、これに限るものではなく、１層構造あるいは３層以上の構造でも良い。
【００３６】
また、従動ローラ３３と帯電ローラ３４との間に、搬送ベルト３１の表面に付着した紙粉等を除去するためのクリーニング手段（ここではマイラを用いている。）１３５と、搬送ベルト３１表面の電荷を除去するための除電ブラシ１３６とを備えている。
【００３７】
また、従動ローラ３３と帯電ローラ３４との間に、搬送ベルト３１の表面に付着した紙粉等を除去するためのクリーニング手段（ここではマイラを用いている。）１３５と、搬送ベルト３１表面の電荷を除去するための除電ブラシ１３６とを備えている。
【００３８】
さらに、搬送ローラ３２の軸３２ａには高分解能のコードホール１３７を取り付け、このコードホイール１３７に形成した図示しないスリットを検出する透過型フォトセンサ１３８を設けて、これらのコードホイール１３７とフォトセンサ１３８によってロータリエンコーダを構成している。
【００３９】
また、搬送ベルト３１の裏面側の表面（搬送ローラ３２外周面と接する面）には、図示しないリニアスケールを形成し、このリニアスケールを読み取るための反射型フォトセンサ１３９を設けて、これらのリニアスケールとフォトセンサ１３９によってリニアエンコーダを構成している。なお、リニアスケールは、搬送ベルト３１の裏面側の表面にアルミを蒸着した後レーザ光で飛ばして縞模様に形成したものを用いることができる。また、このリニアスケールはガイド部材３５によって反射型フォトセンサ１３９による読取りが邪魔されない部位に設けられる。さらに、センサ１３９に隣接して、搬送ベルト３１の裏面側の表面に設けたリニアスケールのつなぎ目を検知するためのつなぎ目センサ１４０を設けている。
【００４０】
給紙部４は、装置本体１の前面側から抜き差し可能で、多数枚の用紙５を積載して収納する給紙カセット４１と、給紙カセット４１内の用紙５を１枚ずつ分離して送り出すための給紙コロ４２及びフリクションパッド４３と、給紙された用紙５をレジストするレジストローラ４４を備えている。また、この給紙部４は、多数枚の用紙５を積載して収容するための手差しトレイ４６及び手差しトレイ４６から１枚ずつ用紙５を給紙するための手差しコロ４７と、装置本体１の下側にオプションで装着される給紙カセットや後述する両面ユニット１０から給紙される用紙５を搬送するための搬送コロ４８を備えている。給紙コロ４２、レジストローラ４４、手差しコロ４７、搬送コロ４８などの副走査搬送部３へ用紙５を給送するための部材は図示しない電磁クラッチを介してＨＢ型ステッピングモータからなる給紙モータ（駆動手段）４９によって回転駆動される。
【００４１】
排紙搬送部７は、副走査搬送部３の分離爪３８で分離された用紙５を搬送する３個の搬送ローラ７１ａ、７１ｂ、７１ｃ（区別しないときは「搬送ローラ７１」という。）及びこれに対向する拍車７２ａ、７２ｂ、７２ｃ（同じく「拍車７２」という。）と、排紙ローラ７１及び拍車７２間で搬送される用紙５をガイドする下ガイド部７３及び上ガイド部７４と、下ガイド部７３及び上ガイド部７４の間から送り出される用紙５を、第１の搬送経路である反転排紙経路８１を通じて反転してフェイスダウンで排紙トレイ８へ送り出すための反転ローラ対７７及び反転排紙ローラ対７８とを備えている。なお、下ガイド部７３及び上ガイド部７４の間で用紙５を搬送する搬送路を搬送路７０という。
【００４２】
なお、搬送路７０の出口側には、排紙トレイ８に反転排紙するための第１排紙経路８１、後述するストレート排紙トレイ１８１に排紙するための第２排紙経路８２及び両面ユニット１０のいずれかに対する搬送経路に切り替えるための分岐機構６０を設けている。
【００４３】
両面ユニット１０は、送り込まれる用紙５を装置本体１の側面部から受け入れて下方に搬送する垂直両面搬送路９０ｃを構成した垂直搬送部１０１ａと、垂直両面搬送路９０ｃに続いて水平方向に搬送する水平取り込み搬送路９０ａ及びスイッチバック搬送路９０ｂを構成した水平搬送部１０１ｂとを一体に有している。
【００４４】
垂直両面搬送路９０ｃには送り込まれた用紙５を下方に搬送する両面入口ローラ対９１及び水平取り込み搬送路９０ａに送り出す搬送ローラ対９２を備え、水平取り込み搬送路９０ａには５つの両面搬送ローラ対９３を備え、スイッチバック搬送路９０ｂには取り込み搬送路９０ａから送られる用紙５を反転して再給紙するためのリバースローラからなる両面出口ローラ９４及び３個の両面搬送ローラ対９５を備えている。
【００４５】
また、取り込み搬送路９０ａからスイッチバック搬送路９０ｂへの用紙５の搬送経路とスイッチバック搬送路９０ｂから搬送ローラ対４８への再給紙のための搬送経路とを切り替える分岐板９６を揺動可能に設けている。分岐板９６は、図１の実線図示のスイッチバック側位置と破線図示の再給紙側位置との間で揺動可能である。
【００４６】
この両面ユニット１０から送り出された用紙５は、前述した搬送コロ４８に送り込まれてレジストローラ４４に送られる。
【００４７】
そして、上述した給紙部４の給紙カセット４１、手差し給紙トレイ４６、両面ユニット１０から給紙された用紙５がレジストローラ４４で搬送されるとき、副走査搬送部３の搬送ローラ３２及び押えコロ３６間とレジストローラ４４との間で、用紙５にループ（弛み）を形成して用紙５に対するバックテンションなどを防止するため、図１に示すように、開閉ガイド板１１０を揺動可能に設けている。
【００４８】
この開閉ガイド板１１０は、レジストローラ４４から用紙５を副走査搬送部３に送り出すときには、図示の状態から矢示方向に揺動して用紙５を案内し、用紙５が副走査搬送部３の達したタイミングで図示の状態に復帰してループを形成可能な状態にする。
【００４９】
さらに、この画像形成装置においては、１枚手差し給紙を行なうために、図１にも示すように、装置本体１の一側部側に、１枚手差し給紙トレイ１４１を装置本体１に対して開閉可能（開倒可能）に設け、１枚手差しを行なうときには１枚手差し給紙トレイ１４１を仮想線図示の位置に開倒する。この１枚手差し給紙トレイ１４１からの手差し給紙される用紙５は、開閉ガイド板１１０の上面でガイドされてそのまま副走査搬送部３の搬送ローラ３２と押さえコロ３６との間に直線的に差し込むことができる。
【００５０】
一方、画像形成が行われた用紙５をフェイスアップでストレートに排紙するため、装置本体１の他側部側にストレート排紙トレイ１８１を開閉可能（開倒可能）に設けている。このストレート排紙トレイ１８１を開く（開倒）ことで、排紙搬送部７に下ガイド部７３及び上ガイド部７４から送り出される用紙５を直線的にストレート排紙トレイ１８１に排紙するための第２の排紙経路であるストレート排紙経路８２が形成される。
【００５１】
これにより、例えばＯＨＰ、厚手の用紙など曲線搬送が難しい用紙を使用するときには１枚手差し給紙トレイ１４１から１枚手差し給紙を行いストレート排紙トレイ１８１まで直線的に用紙５を搬送することができるようになる。勿論、普通紙などの通常の用紙であっても１枚手差し給紙トレイ１４１から給紙し、ストレート排紙トレイ１８１に直線的に排紙することはできる。
【００５２】
ここで、図４を参照して各種センサの配置について説明すると、用紙５を検知するために、レジストローラ４４の上流側には搬送レジストセンサ２０１を、搬送ローラ３２と上流側の押えコロ３６との手前側には印字部入口センサ２０２を、下流側の押えコロ３６の下流側（画像形成部２の入口）には画像書き出し位置をレジストするための画像レジストセンサ２０３を、画像形成部２の出口（搬送ローラ７１ａの手前側）には印字部出口センサ２０４を、分岐機構６０の部分には分岐センサ２０５を、排紙ローラ対７８の手前側には排紙センサ２０６をそれぞれ配置している。また、１枚手差し給紙トレイ１４１上に用紙５がセットされたことを検知するための手差し紙有無センサ２０７を配置している。
【００５３】
また、１枚手差しトレイ１４１の開閉を検知するための手差しトレイ開検知センサ２１１を、ストレート排紙トレイ１８１の開閉を検知するための排紙トレイ開検知センサ２１２をそれぞれ配置している。なお、図４では図示しないが、両面ユニット１０の水平取り込み搬送路９０ａの入口側には両面入口センサを、水平取り込み搬送路９０ａの出口側とスイッチバック搬送路９０ｂの入口側との間には反転センサをそれぞれ配置している。
【００５４】
次に、１枚手差し給紙部の構成について図５及び図６を参照して説明する。なお、図５は同１枚手差し給紙部の斜視説明図、図６は側面説明図である。
まず、前述した開閉ガイド板１１０及びその揺動機構について説明すると、この開閉ガイド部材である開閉ガイド板１１０は支軸１１１で揺動可能に配置し、引っ張りスプリング１１２でレジストローラ４４と副走査搬送部３との間の搬送路から退避したループ形成位置（図６の位置）に保持している。
【００５５】
この開閉ガイド板１１０の垂直方向で湾曲したガイド面１１０ａはレジストローラ４４から送り出される用紙５を案内するガイド面であり、水平方向のガイド面１１０ｂは1枚手差し給紙トレイ１４１から手差しされる用紙５を案内するガイド面となる。開閉ガイド板１１０の上面を１枚手差しのガイド面と兼用することによって構成が簡単になる。
【００５６】
一方、この開閉ガイド板１１０を揺動させるために、駆動手段である開閉ガイド板ソレノイド１１３を配置し、この開閉ガイド板ソレノイド１１３のプランジャ１１３ａに揺動アーム１１４を取り付け、揺動アーム１１４の先端部を開閉ガイド板１１０に一体形成した当接部１１５に当接させて、開閉ガイド板ソレノイド１１３を駆動したときにプランジャ１１３ａが引かれて揺動アーム１１４が図６で矢示方向に揺動して開閉ガイド板１１０を引っ張りスプリング１１２の付勢力に抗して同図で矢示方向に揺動させるようにしている。
【００５７】
この場合、レジストローラ４４から送り出される用紙５を副走査搬送部３に案内するときには、開閉ガイド板ソレノイド１１３を駆動して送り出される用紙５をガイドする状態にし、所定のタイミングで開閉ガイド板ソレノイド１１３を非駆動にして図６の初期位置に戻し、レジストローラ４４と副走査搬送部３との間で用紙５に弛み（ループ）が形成できるようにする。
【００５８】
次に、前述したように、１枚手差し給紙トレイ１４１は支軸１４２で装置本体１に対して開閉可能に装着している。そして、この１枚手差しトレイ１４１の内側には手差し給紙口１４３を開閉するシャッタ部材１４４を支軸１４５で揺動可能に設けている。
【００５９】
このシャッタ部材１４４は、1枚手差し給紙トレイ１４１から手差しされた用紙５を遮蔽することができるストッパ部１４６を先端部に設けたアーム部１４４ａと、開閉ガイド板１１０と連動させるためのアーム部１４４ｂとを有し、このアーム部１４４ｂの先端部には開閉ガイド板１１０に一体形成した係合部１１６に係合する係合コロ１４７を回転可能に設けている。このシャッタ部材１４４は、定常状態ではアーム部１４４ｂが開閉ガイド板１１０と係合しない、つまり、開閉ガイド板１１０の揺動に連動しない図６の状態にある。
【００６０】
そこで、このシャッタ部材１４４のアーム部１４４ｂを開閉ガイド板１１０に係合させてシャッタ部材１４４が開閉ガイド板１１０の揺動に連動する位置に切り替えるために、切り替え手段としての電気的な駆動手段であるシャッタ切替えソレノイド１５０を配置し、このシャッタ切替えソレノイド１５０のプランジャ１５０ａに支軸１５１を揺動可能に支持した揺動アーム１５２の一端部を連結し、この揺動アーム１５２の他端部をシャッタ部材１４４のアーム部１４４ｂと当接可能に配置している。このシャッタ切替えソレノイド１５０を駆動することによってシャッタ部材１４４が図６で矢示方向に揺動して、アーム１４４ｂが開閉ガイド板１１０の係合部１１６に係合して、シャッタ部材１４４が開閉ガイド板１１０の揺動に連動する位置に切り替わる。
【００６１】
次に、この１枚手差し給紙部の動作について図７ないし図１０を参照して説明する。なお、各図は図６と同様な側面説明図である。
先ず、図６に示す状態から１枚手差し給紙トレイ１４１を矢示Ａ方向に開いて図７に示すように１枚手差し給紙トレイ１４１を使用可能状態にする。その後、所要のタイミングで、シャッタ切替えソレノイド１５０を駆動する（ＯＮ状態にする）ことによって、揺動アーム１５２が矢示Ｂ方向に揺動されてシャッタ部材１４４を矢示Ｃ方向に揺動させるので、図８に示すように、シャッタ部材１４４のストッパ部１４６が１枚手差し給紙経路１６０を開いた位置まで揺動し、この状態でシャッタ部材１４４のアーム部１４１ｂが開閉ガイド板１１０の係合部１１６と係合可能な状態、即ちシャッタ部材１４４を開閉ガイド板１００と連動する位置にする。
【００６２】
この状態以前は、シャッタ部材１４４のストッパ部１４６は１枚手差し給紙経路１６０上に位置し、手差し給紙口１４３を閉じた状態にあり、１枚手差し給紙トレイ１４１から用紙５を手差し給紙しようとしてもストッパ部１４６で規制されるために給紙することができない状態にある。
【００６３】
そこで、開閉ガイド板ソレノイド１１３を駆動することによって揺動アーム１１４が矢示Ｄ方向に揺動して開閉ガイド板１１０を矢示Ｅ方向に揺動させ、このとき、図９に示すように、開閉ガイド板１１０の係合部１１６がシャッタ部材１４４のアーム部１４４ｂのコロ１４７に係合するので、シャッタ部材１４４と開閉ガイド板１１０とが連動できる状態になり、開閉ガイド板１１０の上面１１０ｂが手差し給紙される用紙を案内できる状態になる。
【００６４】
これによって、手差し給紙口１４３が開いて１枚手差し給紙経路１６０が開放され、1枚手差し給紙トレイ１４１を使用して用紙５を手差し給紙で副走査搬送部３に給紙することができるようになる。
【００６５】
なお、シャッタ部材１４４のアーム部１４４ｂが開閉ガイド板１１０と係合した後は開閉ガイド１１０に連動するので、シャッタ切替えソレノイド１５０による揺動アーム１５２を初期位置に復帰させてもシャッタ部材１４４の開放動作には影響しない。
【００６６】
すなわち、シャッタ切替えソレノイド１５０のＯＮ状態でシャッタ部材１４４自体は開位置に揺動するがソレノイド１５０としては小型のものを使用しているので、プランジャ１５０ａの吸引状態（シャッタ部材１４４が開いた状態）を長時間保持できないことから、シャッタ部材１４４が図９に示す開位置まで揺動した後開閉ガイド板１１０と連動させてソレノイド１１４によってシャッタ部材１４４の開状態を保持し、他方、シャッタ切替えソレノイド１５０はＯＦＦにするようにしている。
【００６７】
このように、１枚手差し給紙トレイからの手差し給紙口を開閉するシャッタ部材を揺動可能に設けることで、装置内に用紙が残存している場合に１枚手差し給紙トレイが手差し給紙可能な状態（使用状態）にされたときでも、手差し給紙の搬送路を閉じておくことができ、手差し給紙されてジャムが発生することを防止できる。
【００６８】
次に、この画像形成装置の制御部の概要について図１１のブロック図を参照して説明する。
この制御部３００は、ＣＰＵ３０１と、ＣＰＵ３０１が実行するプログラム、その他の固定データを格納するＲＯＭ３０２と、画像データ等を一時格納するＲＡＭ３０３と、装置の電源が遮断されている間もデータを保持するための不揮発性メモリ（ＮＶＲＡＭ）３０４と、画像データに対する各種信号処理、並び替え等を行う画像処理やその他装置全体を制御するための入出力信号を処理するＡＳＩＣ３０５とを含む、この装置全体の制御を司る主制御部３１０を備えている。
【００６９】
また、この制御部３００は、ホスト側と主制御部３１０との間に介在して、データ、信号の送受を行うための外部Ｉ／Ｆ３１１と、記録ヘッド２４を駆動制御するためのヘッドドライバを含むヘッド駆動制御部３１２と、キャリッジ２３を移動走査する主走査モータ２７を駆動するための主走査駆動部（モータドライバ）３１３と、ロータリエンコーダ１３８Ａ及びリニアエンコーダ１３９Ａの検出結果等に基づいて副走査モータ１３１を駆動するための副走査駆動部３１４と、給紙モータ４９を駆動するための給紙駆動部３１５と、排紙部７の各ローラを駆動する排紙モータ７９を駆動するための排紙駆動部３１６と、両面ユニット１０の各ローラを駆動する両面再給紙モータ９９を駆動するための両面駆動部３１７と、維持回復機構１２１を駆動する維持回復モータ１２９を駆動するための回復系駆動部３１８と、帯電ベルト３４にＡＣバイアスを共供するＡＣバイアス供給部３１９とを備えている。
【００７０】
さらに、制御部３００は、前述した開閉ガイド板ソレノイド１１３、シャッタソレノイド１５０を含む各種のソレノイド（ＳＯＬ）類３２１を駆動するソレノイド類駆動部（ドライバ）３２２と、給紙関係の電磁クラック類３２３などを駆動するクラッチ駆動部324と、画像読取部１１を制御するスキャナ制御部３２５とを備えている。
【００７１】
また、主制御部に３１０は、前述した用紙を検知する各種センサ２０１〜２０６、手差し紙有無センサ２０７、１枚手差し給紙トレイ１４１の開閉を検知するセンサ２１１、ストレート排紙トレイ１８１の開閉を検知するセンサ２１２、及びその他のセンサを含むセンサ類３２６からの各種検知信号を入力し、装置本体１に設けたテンキー、プリントスタートキーなどの各種キー及び各種表示器を含む操作／表示部３２７との間で必要なキー入力の取り込み、表示情報の出力を行なう。
【００７２】
この制御部３００による画像形成動作の制御について簡単に説明すると、ＡＣバイアス供給部３１９から帯電ローラ３４に交番電圧である正負極の矩形波の高電圧を印加することによって、帯電ローラ３４は搬送ベルト３１の絶縁層（表層）に当接しているので、搬送ベルト３１の表層には、正と負の電荷が搬送ベルト３１の搬送方向に対して交互に帯状に印加され、搬送ベルト３１上に所定の帯電幅で帯電が行われて不平等電界が生成される。 
【００７３】
そこで、給紙部４、手差し給紙部４６、両面ユニット１０、１枚手差し給紙トレイ１４１などから用紙５が給紙されて搬送ローラ３２と押えコロ３６との間の、正負極の電荷が形成されることによって不平等電界が発生している搬送ベルト３１上へと送り込まれると、用紙５は電界の向きにならって瞬時に分極し、静電吸着力で搬送ベルト３１上に吸着され、搬送ベルト３１の移動に伴って搬送される。
【００７４】
そして、この搬送ベルト３１で用紙５を間歇的に搬送しながら、用紙５上に印刷データに応じて記録ヘッド２４から記録液の液滴を吐出して画像を形成（印刷）し、画像形成が行なわれた用紙５の先端側を分離爪３８で搬送ベルト３１から分離して排紙搬送部７によって、適宜、排紙トレイ８、ストレート排紙トレイ１８１に排紙し、あるいは両面ユニット１０に送り込んで他面の画像形成を行なった後排紙する。
【００７５】
次に、上述した1枚手差し給紙トレイ１４１を使用して１枚手差し給紙を行なった場合の手差し給紙処理の第１例について図１２を参照して説明する。
１枚手差し給紙トレイ１４１が開かれ、１枚手差し給紙トレイ１４１上に用紙５がセットされることで、１枚手差し紙有無センサ２０７の検知出力がＯＮになると、動作中ジョブ（ＪＯＢ）が有るか否かを判別し、動作中ジョブ（ＪＯＢ）が有れば装置内に用紙５が残存していることになるので、動作中ＪＯＢに割り込みをかけて、装置内の印字中の用紙５を排出する動作を行なう。このとき、前述した図７に示すようにシャッタ部材１４１が手差し給紙口１４３を閉じているので手差しで用紙５を給紙することはできない。
【００７６】
このように、装置本体内に用紙が残っている状態のときには当該用紙の排紙が完了するまで１枚手差し給紙トレイからの給紙を開始させない手段を備えることで、装置本体内に用紙が残っている状態で１枚手差し給紙が行なわれることがなくなり、ジャムなどが発生せず、安定した1枚手差し給紙を行なうことができる。
【００７７】
そして、分岐センサ２０５がＯＮ状態になっているか否かを判別し、分岐センサ２０５がＯＮ状態でなくなるまで待機する。つまり、後述するようにストレート排紙トレイ１８１に用紙５をストレート排紙したとき、ストレート排紙トレイ１８１上に排紙された用紙５が残っているときには分岐センサ２０５がＯＮ状態になるようにし、分岐センサ２０５がＯＮである間はストレート排紙トレイ１８１上に排紙された用紙５が残っているので、この間は１枚手差し給紙を行なわないようにしている。
【００７８】
これにより、１枚手差し給紙が行なわれたときなどストレート排紙トレイ１８１を使用して排紙したときには、ストレート排紙トレイ１８１は１枚の用紙を排紙するために使用でき、ストレート排紙トレイ１８１上の用紙５が次の用紙５によって押されて排紙トレイ１８１から飛び出したり、あるいは、ストレート排紙トレイ１８１上にうまく排紙されずにジャムが発生したりすることを防止できる。
【００７９】
このようにして、装置本体１内及びストレート排紙トレイ１８１上に用紙５がなくなったときには、前述したように、シャッタ切替えソレノイド１５０を駆動（ＯＮ）して図８に示す状態にし、所定時間（例えば５００ｍsec）待機する。その後、開閉ガイド板ソレノイド１１３を駆動（ＯＮ）して図９及び図１０に示すようにシャッタ部材１４１が手差し給紙口１４３（１枚手差し搬送路１６０）を開き、開閉ガイド板１１０が手差しされる用紙をガイドできる状態にし、所定時間（例えば５００ｍsec）経過後、シャッタ切替えソレノイド１５０を非駆動（ＯＦＦ）にする。
【００８０】
これにより、シャッタ部材１４１が開状態になって１枚手差し給紙トレイ１４１から手差しで１枚の用紙５を給紙（挿入）でき、搬送ベルト３１の入口センサ２０２がオン状態になり、スタートが指示されることで、画像レジストセンサ２０３の検知タイミングに基づいて給紙された１枚手差しの用紙５に画像を形成する。そして、印字部入口センサ２０２が用紙５の後端通過を検知したとき（ＯＦＦになったとき）に、開閉ガイド板ソレノイド１１３を非駆動（ＯＦＦ）にし、一方画像形成が終了した用紙は例えばストレート排紙トレイ１８１上に排紙する。
【００８１】
次に、１枚手差し給紙処理の第２例について図１３を参照して説明する。
上述した第１例と同様に、１枚手差し給紙トレイ１４１が開かれ、１枚手差し給紙トレイ１４１上に用紙５がセットされることで、１枚手差し紙有無センサ２０７の検知出力がＯＮになると、動作中ジョブ（ＪＯＢ）が有るか否かを判別し、動作中ジョブ（ＪＯＢ）が有れば装置内に用紙５が残存していることになるので、動作中ＪＯＢに割り込みをかけて、装置内の印字中の用紙５を排出する動作を行なう。
【００８２】
その後、ストレート排紙トレイ開閉検知センサ２１２の検知出力をチェックしてストレート排紙トレイ１８１が開かれているか（排紙可能状態になっているか）否かを判別する。このとき、ストレート排紙トレイ１８１が開かれていなければ、つまり、ストレート排紙トレイ１８１が閉じていれば、ストレート排紙トレイ１８１に排紙できないので、操作／表示部３２７に対して、ストレート排紙トレイ１８１を開くようにユーザーに促す旨の表示をし、所定時間が経過したか否かを判別し、所定時間が経過するまでは、これらの処理を繰り返し、所定時間が経過してもストレート排紙トレイ１８１が開にならないときは、後述する１枚手差しトレイ１４１を排紙トレイとして使用する給排紙兼用印刷処理に移行して１枚手差し給紙による印刷を開始する。
【００８３】
つまり、ストレート排紙トレイ１８１が開かれていない状態でストレート排紙トレイ１８１を使用する１枚手差し給紙を行なうとジャムが発生するので、操作者に対してストレート排紙トレイ１８１を開くように促すことでジャムの発生を防止し、また、ストレート排紙トレイ１８１が開かれるまでは１枚手差し給紙を開始しないようにすることでジャムの発生を防止する。
【００８４】
そして、ストレート排紙トレイ１８１が開かれない限り１枚手差し給紙がいつまでも開始されないのでは、ユーザーは印刷不能の原因が分からないときがあるので、所定時間経過してもストレート排紙トレイ１８１が開にならないときには、給排紙兼用印刷処理に移行して１枚手差し給紙による印刷を開始することでユーザーの便宜を図っている。
【００８５】
これに対して、ストレート排紙トレイ１８１が開かれて排紙可能状態になっているときには、上述した第１例と同様に、分岐センサ２０５がＯＮ状態か否かを判別し、分岐センサ２０５がＯＮ状態のときには所定時間が経過したか否かを判別し、所定時間が経過するまでは、これらの処理を繰り返し、所定時間が経過しても分岐センサ２０５がＯＦＦ状態にならないときには、同様に給排紙兼用印刷処理へ移行する。この場合も、ストレート排紙トレイ１８１上の用紙を取り除くことをユーザーに促す旨の表示を操作／表示部３２７に出力することが好ましい。
【００８６】
つまり、前述したようにストレート排紙トレイ１８１が開かれていてもストレート排紙トレイ１８１上に用紙が残っている状態で１枚手差し給紙を開始すると、ストレート排紙トレイ１８１上の用紙で排紙が阻害されてジャムが発生するおそれがあるので、ストレート排紙トレイ１８１上に用紙が残っている間は1枚手差し給紙を開始しないが、そのまま待機しているといつまでも1枚手差し給紙による印刷が行えないので、所定時間が経過したときには給排紙兼用印刷処理へ移行することでユーザーの便宜を図っている。
【００８７】
そして、分岐センサ２０５がＯＦＦ状態になってストレート排紙トレイ１８１に排紙できる状態になったときには、前述した第１例と同様にして、１枚手差し給紙トレイ１４１からの搬送路を閉じているシャッタ部材１４４を開き、１枚手差し給紙された用紙に画像を形成し、ストレート排紙トレイ１８１上に排紙する。
【００８８】
次に、給排紙兼用印刷処理について図１４を参照して説明する。
この処理では、シャッタ部材１４１を開状態にして１枚手差し給紙トレイ１４１からの搬送路１６０を開き、印字部入口センサ２０２がＯＮ状態になったか否か、つまり、１枚手差し給紙トレイ１４１から用紙が差し込まれたか否かを判別する。そして、１枚手差し給紙トレイ１４１から用紙が差し込まれて印字部入口センサ２０２がＯＮ状態になったときに、搬送ベルト３１を低速で正転させて、差し込まれた用紙５を所定量プリフィードして停止させる。
【００８９】
その後、操作／表示部３２７からのプリント指示或いは外部ホストからの印字スタート命令を受けると、前述したように用紙５を間歇搬送しながら記録ヘッド２４によって所要の画像を形成する。このとき、搬送ベルト３１は通常の印字時の速度（高速）で正転させる。
【００９０】
そして、当該用紙５への印字が完了したときには、搬送ベルト３１を高速で逆転させて、当該印字が完了した用紙５を１枚手差し給紙トレイ１４１に戻す方向への搬送動作を開始し、１枚手差し紙有無センサ２０７がＯＮしたか否か、つまり、１枚手差し給紙トレイ１４１上に当該印字が完了した用紙５の先端が戻ってきたか否かを判別し、１枚手差し紙有無センサ２０７がＯＮしたときには、搬送ベルト３１を低速で逆転させて用紙５の排紙搬送速度を低下させ、印字部入口センサ２０２がＯＦＦ状態になったとき、つまり、用紙５の後端が搬送ベルト３１を抜けたときに搬送ベルト３１を停止し、１枚手差し紙有無センサ２０７がＯＦＦになったときに、シャッタ部材１４１を閉じて搬送路１６０を閉じる。
【００９１】
このように、１枚手差し給紙部から用紙を給紙し、画像形成後の用紙を1枚手差し給紙部に排紙するとき、１枚手差し給紙部から用紙の給紙を開始するときの送り速度及び1枚手差し給紙部に用紙を排紙するときの送り速度が、用紙に画像を形成するときの送り速度に対して低速とすることにより、１枚手差し給紙トレイからの用紙の引き込み、１枚手差し給紙トレイへの排出をゆっくり行なうことができる。
【図面の簡単な説明】
【００９２】
【図１】本発明に係る画像形成装置の全体構成を示す概略構成図である。
【図２】同装置の画像形成部及び副走査搬送部の平面説明図である。
【図３】同じく側面説明図である。
【図４】同じく搬送経路の説明に供する説明図である。
【図５】同じく１枚手差し給紙部の構成を説明する斜視説明図である。
【図６】同じく側面説明図である。
【図７】同じく１枚手差し給紙トレイを開いた状態の側面説明図である。
【図８】同じくシャッタソレノイドを駆動した状態の側面説明図である。
【図９】同じく開閉ガイド板ソレノイドを駆動したときの側面説明図である。
【図１０】同じくシャッタ部材が開いた状態の側面説明図である。
【図１１】同画像形成装置の制御部の概要を説明するブロック図である。
【図１２】同制御部による１枚手差し印刷時の処理の第１例の説明に供するフロー図である。
【図１３】同制御部による１枚手差し印刷処理の第２例の説明に供するフロー図である。
【図１４】同１枚手差し印刷処理の給排紙兼用印刷処理の説明に供するフロー図である。
【符号の説明】
【００９３】
１…装置本体
２…画像形成部
３…副走査搬送部
４…給紙部
５…用紙（被記録媒体）
７…排紙搬送部
８…排紙トレイ
１０…両面ユニット
１１…画像読取部
２３…キャリッジ
２４…記録ヘッド
３１…搬送ベルト
３２…搬送ローラ
３４…帯電ローラ
１１０…開閉ガイド板
１１３…開閉ガイド板ソレノイド
１４１…１枚手差し給紙トレイ
１４３…手差し給紙口
１４４…シャッタ部材
１５０…シャッタソレノイド
１６０…１枚手差し給紙の搬送路
【図１】
2006168887.tif 000003
【図２】
2006168887.tif 000004
【図３】
2006168887.tif 000005
【図４】
2006168887.tif 000006
【図５】
2006168887.tif 000007
【図６】
2006168887.tif 000008
【図７】
2006168887.tif 000009
【図８】
2006168887.tif 000010
【図９】
2006168887.tif 000011
【図１０】
2006168887.tif 000012
【図１１】
2006168887.tif 000013
【図１２】
2006168887.tif 000014
【図１３】
2006168887.tif 000015
【図１４】
2006168887.tif 000016